(57)【要約】【課題】本発明の目的は、電子部品の巻芯部における巻線の巻き数を増加させることができる電子部品を提供することである。【解決手段】電子部品１Ａは、コア１２、巻線２０及び外部電極２２を備える。コア１２は、軸方向に沿って延在する巻芯部１４、及び、巻芯部１４の軸方向の一端に設けられ、かつ、軸方向と直交する直交方向の内の少なくとも第１の方向に向かって巻芯部１４から張り出した第１の鍔部１６Ａを含む。巻線２０は、巻芯部１４に巻き回される。外部電極２２は、第１の鍔部１６Ａにおいて前記直交方向に位置する側面Ｓ１に設けられ、かつ、前記巻線２０と接続される。前記第１の方向から見たとき、巻線２０と交差する第１の鍔部１６Ａの第１の外縁Ｌ１に接するベクトルαは、前記軸方向の成分を有することを特徴とする。【選択図】図１
2014170783.tif 000002
【特許請求の範囲】
【請求項１】
軸方向に沿って延在する巻芯部、及び、該巻芯部の該軸方向の一端に設けられ、かつ、該軸方向と直交する直交方向の内の少なくとも第１の方向に向かって該巻芯部から張り出した第１の鍔部を含むコアと、
前記巻芯部に巻き回される巻線と、
前記第１の鍔部において前記直交方向に位置する側面に設けられ、かつ、前記巻線と接続される第１の外部電極と、
を備え、
前記第１の方向から見たとき、前記巻線と交差する前記第１の鍔部の第１の外縁に接するベクトルは、前記軸方向の成分を有すること、
を特徴とする電子部品。
【請求項２】
前記巻線と接続される第２の外部電極を更に備え、
前記コアは、前記巻芯部の前記軸方向の他端に設けられ、かつ、前記直交方向の内の少なくとも第２の方向に向かって該巻芯部から張り出した第２の鍔部を更に含み
前記第２の外部電極は、前記第２の鍔部において前記直交方向に位置する側面に設けられ、
前記第２の方向から見たとき、前記巻線と交差する前記第２の鍔部の第２の外縁と接するベクトルは、前記軸方向の成分を有すること、
を特徴とする請求項１に記載の電子部品。
【請求項３】
前記第１の外縁は、前記第１の方向から平面視したとき、前記軸方向と直交する方向において、前記第１の鍔部における両端の間に位置していること、
を特徴とする請求項１又は２に記載の電子部品。
【請求項４】
前記第１の方向に位置する側面に隣接する前記第１の鍔部の側面であって、該第１の方向に位置する側面との交線が前記第１の外縁である第１の隣接面は、前記巻芯部における該第１の隣接面に隣接する面と同一の平面上に位置すること、
を特徴とする請求項１又は２に記載の電子部品。
【請求項５】
前記第１の鍔部における巻線と第１の外部電極とが接続される第１の接続部は、該第１の接続部が設けられた側面の中央部に位置していること、
を特徴とする請求項１乃至請求項４のいずれかに記載の電子部品。
【発明の詳細な説明】
【技術分野】
【０００１】
本発明は、電子部品、特に、インダクタなどの電子部品に関するものである。
【背景技術】
【０００２】
従来の電子部品としては、例えば、特許文献１に記載のチップコイルが知られている。以下に、特許文献１に記載のチップコイル５００について説明する。図７は、特許文献１に記載のチップコイル５００の外観斜視図である。図８は、特許文献１に記載のチップコイル５００における鍔部５０１ｃ近傍を巻芯部５０１ａの軸方向と直交する方向から平面視した図である。図７及び図８において、巻芯部５０１ａの中心軸が延在している方向をｘ軸方向と定義し、ｘ軸方向と直交し、かつ、巻芯部５０１ａの中心軸から実装面に向かう方向をｙ軸方向と定義する。
【０００３】
チップコイル５００は、図７に示すように、コア５０１、ワイヤー５０２及び端子電極５０３ａ，５０３ｂを備えている。コア５０１は、ｘ軸方向に延在している巻芯部５０１ａ、及びその両端に設けられている鍔部５０１ｂ，５０１ｃにより構成されている。端子電極５０３ａは、鍔部５０１ｂにおけるｙ軸方向の正方向側の面に設けられている。端子電極５０３ｂは、鍔部５０１ｃにおけるｙ軸方向の正方向側の面に設けられている。ワイヤー５０２は、巻芯部５０１ａに巻き回され、ワイヤー５０２の両端はそれぞれ、端子電極５０３ａ，５０３ｂに接続されている。
【０００４】
ところで、チップコイル５００では、端子電極５０３ａ，５０３ｂとワイヤー５０２との接続部分近傍で、図８に示すように、ワイヤー５０２がｘ軸方向に向かって曲げられている。これは、ワイヤー５０２を端子電極５０３ａ，５０３ｂに熱圧着する以前に、ワイヤー５０２が巻芯部５０１ａへ滑り落ちることを防止するためである。しかし、ワイヤー５０２をｘ軸方向に向かって曲げたことによって、巻芯部５０１ａの端部には、ワイヤー５０２が巻き回されない領域Ｐ５０１が形成されている。これにより、チップコイル５００では、巻芯部５０１ａでのワイヤー５０２の巻き数が制限され、所望のインダクタンス値を得ることが困難であった。
【先行技術文献】
【特許文献】
【０００５】
【特許文献１】特開２００３−１７３３６号公報
【発明の概要】
【発明が解決しようとする課題】
【０００６】
そこで、本発明の目的は、電子部品の巻芯部における巻線の巻き数を増加させることができる電子部品を提供することである。
【課題を解決するための手段】
【０００７】
本発明の一実施形態に係る電子部品は、軸方向に沿って延在する巻芯部、及び、該巻芯部の該軸方向の一端に設けられ、かつ、該軸方向と直交する直交方向の内の少なくとも第１の方向に向かって該巻芯部から張り出した第１の鍔部を含むコアと、前記巻芯部に巻き回される巻線と、前記第１の鍔部において前記直交方向に位置する側面に設けられ、かつ、前記巻線と接続される第１の外部電極と、を備え、前記第１の方向から見たとき、前記巻線と交差する前記第１の鍔部の第１の外縁に接するベクトルは、前記軸方向の成分を有すること、を特徴とする
【発明の効果】
【０００８】
本発明に係る電子部品によれば、巻芯部における巻線の巻き数を増加させることができる。
【図面の簡単な説明】
【０００９】
【図１】第１実施例である電子部品の外観斜視図である。
【図２】第１実施例である電子部品における鍔部近傍を巻芯部の軸方向と直交する方向から平面視した図である。
【図３】第１実施例である電子部品における鍔部近傍を巻芯部の軸方向と直交する方向から平面視した図である。
【図４】第２実施例である電子部品の外観斜視図である。
【図５】第３実施例である電子部品の外観斜視図である。
【図６】第４実施例である電子部品の外観斜視図である。
【図７】特許文献１に記載のチップコイルの外観斜視図である。
【図８】特許文献１に記載のチップコイルにおける鍔部近傍を巻芯部の軸方向と直交する方向から平面視した図である。
【発明を実施するための形態】
【００１０】
以下に、本発明の実施例に係る電子部品について説明する。
【００１１】
（第１実施例）
第１実施例である電子部品１Ａの構成について説明する。図１は、第１実施例である電子部品１Ａの外観斜視図である。図２及び図３は、電子部品１Ａにおける鍔部１６Ａ，１８Ａの近傍を巻芯部１４の軸方向と直交する方向から平面視した図である。図１乃至図３において、巻芯部１４の中心軸が延在している方向をｘ軸方向と定義する。また、ｘ軸方向から平面視したとき、鍔部１６Ａの長辺に沿った方向をｙ軸方向と定義し、鍔部１６Ａの短辺に沿った方向をｚ軸方向と定義する。なお、ｘ軸、ｙ軸及びｚ軸は互いに直交している。
【００１２】
電子部品１Ａは、図１に示すように、コア１２、巻線２０及び外部電極２２，２４を備えている。コア１２は、例えばフェライト、アルミナ等の絶縁材料により構成され、巻芯部１４及び鍔部１６Ａ，１８Ａを含んでいる。
【００１３】
巻芯部１４は、図１に示すように、ｘ軸方向に延在している角柱状の部材である。ただし、巻芯部１４は、角柱状に限らず、円柱状や多角形状であってもよい。
【００１４】
鍔部１６Ａ，１８Ａは、巻芯部１４におけるｘ軸方向の両端に設けられている。具体的には、鍔部１６Ａ（第１の鍔部）は、図１に示すように、巻芯部１４のｘ軸方向の負方向側の一端に設けられている。鍔部１８Ａ（第２の鍔部）は、巻芯部１４のｘ軸方向の正方向側の他端に設けられている。
【００１５】
鍔部１６Ａは、図１に示すように、巻芯部１４から少なくともｚ軸方向の正方向側（第１の方向）に張り出した形状をなしている。本実施形態では、鍔部１６Ａは、ｚ軸方向の正負両側及びｙ軸方向の正負両側に張り出すことにより、ｘ軸方向に直交する直交方向の全ての方向に張り出した形状を成している。これにより、鍔部１６Ａと巻芯部１４との間に段差が存在する。
【００１６】
また、鍔部１６Ａは、本体部１６Ａ−１及び突出部１６Ａ−２により構成されている。本体部１６Ａ−１は、鍔部１６Ａにおけるｘ軸方向の負方向側に位置する直方体状の部材である。突出部１６Ａ−２は、鍔部１６Ａにおけるｘ軸方向の正方向側に位置し、本体部１６Ａ−１におけるｙ軸方向の負方向側からｘ軸方向の正方向側（巻芯部１４の中心）に向かって突出している部材である。さらに、突出部１６Ａ−２は、ｚ軸方向から見たとき、ｙ軸方向と平行な底辺を有する台形状を成している。また、以下では、鍔部１６Ａにおいて、ｘ軸方向に直交する直交方向に位置する面を側面と称し、特に、ｚ軸方向の正方向側に位置する面を側面Ｓ１と称す。
【００１７】
鍔部１８Ａは、図１に示すように、巻芯部１４から少なくともｚ軸方向の正方向側（第２の方向）に張り出した形状をなしている。本実施形態では、鍔部１８Ａは、ｚ軸方向の正負両側及びｙ軸方向の正負両側に張り出すことにより、ｘ軸方向に直交する直交方向の全ての方向に張り出した形状を成している。これにより、鍔部１８Ａと巻芯部１４との間に段差が存在する。
【００１８】
また、鍔部１８Ａは、本体部１８Ａ−１及び突出部１８Ａ−２により構成されている。本体部１８Ａ−１は、鍔部１８Ａにおけるｘ軸方向の正方向側に位置する直方体状の部材である。突出部１８Ａ−２は、鍔部１８Ａにおけるｘ軸方向の負方向側に位置し、本体部１８Ａ−１におけるｙ軸方向の正方向側からｘ軸方向の負方向側（巻芯部１４の中心）に向かって突出している部材である。さらに、突出部１８Ａ−２は、ｚ軸方向から見たとき、ｙ軸方向と平行な底辺を有する台形状を成している。また、以下では、鍔部１８Ａにおいて、ｘ軸方向に直交する直交方向に位置する面を側面と称し、特に、ｚ軸方向の正方向側に位置する面を側面Ｓ２と称す。
【００１９】
鍔部１６Ａ，１８Ａは、巻芯部１４の中心を通りｚ軸と平行な直線に関して対称である。なお、鍔部１６Ａ，１８Ａにおけるｚ軸方向の正方向側の面（すなわち、側面Ｓ１，Ｓ２）は、電子部品１Ａが回路基板に実装される際に、回路基板と対向する実装面である。
【００２０】
外部電極２２（第１の外部電極）は、図１に示すように、鍔部１６Ａにおける側面Ｓ１を覆うように設けられている。
【００２１】
外部電極２４（第２の外部電極）は、図１に示すように、鍔部１８Ａにおける側面Ｓ２を覆うように設けられている。なお、外部電極２２，２４は、Ｎｉ−Ｃｒ、Ｎｉ−Ｃｕ，Ｎｉ等のＮｉ系合金やＡｇ、Ｃｕ、Ｓｎ等により構成されている。
【００２２】
巻線２０は、図１に示すように、巻芯部１４に巻き回されている導線である。また、巻線２０のｘ軸方向の負方向側の一端は、側面Ｓ１において外部電極２２と接続され、巻線２０のｘ軸方向の正方向側の他端は、側面Ｓ２において外部電極２４と接続されている。なお、巻線２０の芯線は、銅や銀といった導電性材料を主成分としており、ポリウレタン等の絶縁材料により被覆されている。
【００２３】
ここで、ｚ軸方向の正方向側から見たとき、巻線２０と交差する鍔部１６Ａの外縁Ｌ１（第１の外縁）に接するベクトルαは、図２に示すように、ｘ軸方向の成分αｘを有している。結果として、鍔部１６Ａの側面Ｓ１は、略Ｌ字型をなしており、鍔部１６Ａと巻芯部１４との間に存在する段差を乗り越えた巻線２０よりもｘ軸方向の正方向側に張り出している。ここで、ｚ軸方向の正方向側から見たとき、外縁Ｌ１と巻線２０とが交差する点は、外縁Ｌ１において、ｘ軸方向の負方向側である方が望ましい。また、外縁Ｌ１は、本実施例において、ｚ軸方向の正方向側から見たとき、鍔部１６Ａのｙ軸方向の両端の間に位置している。つまり、本実施形態において、外縁Ｌ１は、ｚ軸方向から見たとき、鍔部１６Ａのｙ軸方向の両端の外縁ではない。
【００２４】
また、ｚ軸方向の正方向側から見たとき、巻線２０と交差する鍔部１８Ａの外縁Ｌ２（第２の外縁）に接するベクトルβは、図３に示すように、ｘ軸方向の成分βｘを有している。結果として、鍔部１８Ａの側面Ｓ２は、略Ｌ字型をなしており、鍔部１８Ａと巻芯部１４との間に存在する段差を乗り越えた巻線２０よりもｘ軸方向の負方向側に張り出している。ここで、ｚ軸方向の正方向側から見たとき、外縁Ｌ２と巻線２０とが交差する点は、外縁Ｌ２において、ｘ軸方向の正方向側である方が望ましい。また、外縁Ｌ２は、本実施例において、ｚ軸方向の正方向側から見たとき、鍔部１８Ａのｙ軸方向の両端の間に位置している。つまり、本実施形態において、外縁Ｌ２は、ｚ軸方向から見たとき、鍔部１８のｙ軸方向の両端の外縁ではない。
【００２５】
（電子部品の製造方法）
以下に、電子部品１Ａの製造方法について説明する。
【００２６】
まず、コア１２の材料となるフェライトを主成分とした粉末を準備する。そして、準備したフェライト粉末を雌型に充填する。充填した粉末を雄型で加圧することによって、巻芯部１４の形状及び鍔部１６Ａ，１８Ａの形状を成形する。更に、加圧が終了したコア１２を焼成し、コア１２が完成する。
【００２７】
次に、コア１２の鍔部１６Ａ，１８Ａに外部電極２２，２４を形成する。より詳細には、まず、Ａｇ等のペーストが満たされた容器にコア１２の鍔部１６Ａの側面Ｓ１及び鍔部１８Ａの側面Ｓ２を浸漬させて、各側面にＡｇペーストを付着させる。次に、付着したＡｇペーストを乾燥させ、焼成することによって、鍔部１６Ａ，１８Ａの側面Ｓ１，Ｓ２に下地電極であるＡｇ膜を形成する。更に、電気めっきなどにより、Ｎｉ系合金の金属膜をＡｇ膜上に形成する。以上により、図１に示すような外部電極２２，２４が形成される。
【００２８】
次に、巻芯部１４に巻線２０を巻きつける。この際、巻線２０の両端を所定量だけ巻芯部１４から引き出しておく。そして、巻線２０の引き出された部分を外部電極２２，２４に対して熱圧着により接続する。以上のような工程を経て、電子部品１Ａが完成する。
【００２９】
（効果）
以上のように構成された電子部品１Ａによれば、巻芯部１４における巻線２０の巻き数を増加させることができる。具体的には、鍔部１６Ａの外縁Ｌ１（第１の外縁）に接するベクトルαは、図２に示すように、ｘ軸方向の成分αｘを有している。結果として、鍔部１６Ａの側面Ｓ１は、鍔部１６Ａと巻芯部１４との間に存在する段差を乗り越えた巻線２０よりもｘ方向の正方向側に張り出している。従って、電子部品１Ａでは、巻線２０をｘ軸方向に大きく曲げる必要がないため、チップコイル５００の巻芯部５０１ａのように、ワイヤー５０２が巻き回されない領域Ｐ５０１が形成されない。つまり、電子部品１Ａでは、巻芯部１４の両端まで巻線２０を巻き回すことができ、巻線２０の巻き数を増加させることができる。また、巻芯部１４における鍔部１８Ａ側の端部についても、上記と同様の理由で、巻線２０を巻き回すことができ、巻線２０の巻き数を増加させることができる。
【００３０】
また、電子部品１Ａでは、上述のとおり、巻線２０の端部をｘ軸方向に大きく曲げる必要がない。これにより、巻線２０の端部での曲げによる応力の発生を抑制することができる。
【００３１】
（第２実施例）
以下に、第２実施例である電子部品１Ｂの構成について図面を参照しながら説明する。図４は、第２実施例である電子部品１Ｂの外観斜視図である。なお、図４におけるｘ軸、ｙ軸及びｚ軸の各方向の定義は、図１と同じである。
【００３２】
電子部品１Ｂと電子部品１Ａとの相違点は、鍔部１６Ａ，１８Ａの形状である。その他の点については、電子部品１Ａと電子部品１Ｂとでは相違しないので、説明を省略する。なお、電子部品１Ｂにおける鍔部を鍔部１６Ｂ，１８Ｂとする。また、図４において、電子部品１Ａと同じ構成については、電子部品１Ａと同じ符号を付した。
【００３３】
電子部品１Ｂにおける鍔部１６Ｂでは、ｚ軸方向から見たとき巻線２０と交差する外縁Ｌ３（第１の外縁）に接するベクトルγが、図４に示すように、ｘ軸方向と平行である。結果として、鍔部１６Ｂの突出部１６Ｂ−２は、ｚ軸方向から見たとき、ｘ軸方向の正方向側に突出した長方形状を成している。
【００３４】
電子部品１Ｂにおける鍔部１８Ｂでは、ｚ軸方向から見たとき巻線２０と交差する外縁Ｌ４（第２の外縁）に接するベクトルδが、図４に示すように、ｘ軸方向と平行である。結果として、鍔部１８Ｂの突出部１８Ｂ−２は、ｚ軸方向から見たとき、ｘ軸方向の負方向側に突出した長方形状を成している。
【００３５】
以上のように構成された電子部品１Ｂにおいても、第１実施例と同様の効果を奏する。
【００３６】
（第３実施例）
以下に、第３実施例である電子部品１Ｃの構成について図面を参照しながら説明する。図５は、第３実施例である電子部品１Ｃの外観斜視図である。なお、図５におけるｘ軸、ｙ軸及びｚ軸の各方向の定義は、図１と同じである。
【００３７】
電子部品１Ｃと電子部品１Ｂとの相違点は、突出部１６Ｂ−２の位置が、ｙ軸方向において、鍔部１６Ｂの中央に移動したこと、及び突出部１８Ｂ−２の位置が、ｙ軸方向において、鍔部１８Ｂの中央に移動したことである。その他の点については、電子部品１Ｃと電子部品１Ｂとでは相違しないので、説明を省略する。なお、図５において、電子部品１Ｃにおける鍔部を鍔部１６Ｃ，１８とし、突出部を突出部１６Ｃ−２，１８Ｃ−２とする。また、電子部品１Ｂと同じ構成については、電子部品１Ｂと同じ符号を付した。以上のように構成された電子部品１Ｃにおいても、第１実施例と同様の効果を奏する。
【００３８】
（第４実施例）
以下に、第４実施例である電子部品１Ｄの構成について図面を参照しながら説明する。図６は、第４実施例である電子部品１Ｄの外観斜視図である。なお、図６におけるｘ軸、ｙ軸及びｚ軸の各方向の定義は、図１と同じである。
【００３９】
電子部品１Ｄと電子部品１Ａとの相違点は、鍔部１６Ｄ，１８Ｄの形状及び巻線２０と外部電極２２，２４との接続位置である。その他の点については、電子部品１Ｄと電子部品１Ａとでは相違しないので、説明を省略する。なお、電子部品１Ｄにおける鍔部を鍔部１６Ｄ，１８Ｄとする。また、図６において、電子部品１Ａと同じ構成については、電子部品１Ａと同じ符号を付した。
【００４０】
鍔部１６Ｄは、図６に示すように、直方体状の部材であり、巻芯部１４からｚ軸方向の正負両側及びｙ軸方向の負方向側に張り出した形状を成している。また、鍔部１６Ｄにおけるｙ軸方向の正方向側の面（第１の隣接面）は、巻芯部１４におけるｙ軸方向の正方向側の面と同一の平面上に位置する。なお、以下で、鍔部１６Ｄのｙ軸の正方向側に位置する面を側面Ｓ３と称す。
【００４１】
鍔部１８Ｄは、図６に示すように、直方体状の部材であり、巻芯部１４からｚ軸方向の正負両側及びｙ軸方向の正方向側に張り出した形状を成している。また、鍔部１８Ｄにおけるｙ軸方向の負方向側の面（第２の隣接面）は、巻芯部１４におけるｙ軸方向の負方向側の面と同一の平面上に位置する。なお、以下で、鍔部１８Ｄのｙ軸の負方向側に位置する面を側面Ｓ４と称す。
【００４２】
巻線２０と外部電極２２，２４との接続位置ＣＤ１，ＣＤ２（接続部）はそれぞれ、鍔部１６Ｄ，１８Ｄのｙ軸方向の略中央である。
【００４３】
また、電子部品１Ｄでは、巻線２０の一端は、巻芯部１４のｙ軸方向の正方向側に位置する側面から鍔部１６Ａの側面Ｓ３を伝い、側面Ｓ１（第１の方向に位置する側面）において外部電極２２と接続されている。そして、ｚ軸方向の正方向側から見たとき、巻線２０と交差する鍔部１６Ｄの外縁Ｌ５（第１の外縁）に接するベクトルεは、図６に示すように、ｘ軸方向と平行である。つまり、ベクトルεはｘ軸方向の成分を有している。
【００４４】
さらに、電子部品１Ｄでは、巻線２０の他端は、巻芯部１４のｙ軸方向の負方向側に位置する側面から鍔部１８Ａの側面Ｓ４を伝い、側面Ｓ２（第１の方向に位置する側面）において外部電極２２と接続されている。そして、ｚ軸方向の正方向側から見たとき、巻線２０と交差する鍔部１６Ｄの外縁Ｌ６（第１の外縁）に接するベクトルηは、図６に示すように、ｘ軸方向と平行である。つまり、ベクトルηはｘ軸方向の成分を有している。
【００４５】
以上のように構成された電子部品１Ｄにおいても、巻線２０をｘ軸方向に曲げる必要がないため、チップコイル５００の巻芯部５０１ａのように、ワイヤー５０２が巻き回されない領域Ｐ５０１は形成されない。つまり、電子部品１Ｄでは、巻芯部１４の両端まで巻線２０を巻き回すことができ、所望のインダクタンス値を得ることができる。また、鍔部１６Ｄ，１８Ｄの形状が、電子部品１Ａの鍔部１６Ａ，１８Ａの形状よりも簡素である。
【００４６】
さらに、電子部品１Ｄでは、巻線２０と外部電極２２，２４との接続位置ＣＤ１，ＣＤ２はそれぞれ、鍔部１６Ｄ，１８Ｄのｙ軸方向の略中央である。従って、巻線２０を外部電極２２，２４と熱圧着する際に、巻線２０の位置が狙いの位置からずれたとしても、巻線２０を外部電極２２，２４と熱圧着することができる。
【００４７】
（その他の実施形態）
本発明に係る電子部品は、前記実施形例に係る電子部品１Ａ〜１Ｄに限らずその要旨の範囲内において変更可能である。例えば、巻線２０と外部電極２２，２４とを接続する接続部は、実装面でなくてもよい。また、本発明の一の実施例の構成を他の実施例の構成と組み合わせてもよい。
【００４８】
さらに、電子部品１Ａでは、外部電極２２は、側面Ｓ１に設けられているが、鍔部１６Ａにおける側面Ｓ１以外の側面に設けられていてもよい。同様に、外部電極２４は、側面Ｓ２に設けられているが、鍔部１８Ａにおける側面Ｓ２以外の側面に設けられていてもよい。また、外部電極２２，２４は、複数の側面に跨って設けられていてもよい。なお、電子部品１Ｂ〜１Ｄの外部電極２２，２４についても、電子部品１Ａの外部電極２２，２４と同じことが言える。
【００４９】
そして、電子部品１Ａでは、鍔部１６Ａは、巻芯部１４からｘ軸方向に直交する直交方向の全ての方向に張り出しているが、直交方向の内の少なくともｚ軸方向の正方向側に巻芯部１４から張り出した形状をなしていればよい。さらに、巻線２０は、鍔部１６Ａのｚ軸方向の正方向側の側面Ｓ１に巻芯部１４から乗り上げていればよい。この際、ｚ軸方向の正方向側から見たとき、巻線２０と交差する鍔部１６Ａの外縁Ｌ１に接するベクトルαは、図２に示すように、ｘ軸方向の成分αｘを有していればよい。なお、電子部品１Ｂ，１Ｃについても、電子部品１Ａと同じことが言える。
【００５０】
なお、電子部品１Ａ〜１Ｄにおいて、鍔部１６Ａ，１８Ａのいずれか一方のみが設けられていてもよい。
【産業上の利用可能性】
【００５１】
以上のように、本発明は、電子部品に有用であり、特に電子部品の巻芯部における巻線の巻き数を増加させることができる点において優れている。
【符号の説明】
【００５２】
ＣＤ１，ＣＤ２  接続位置
Ｌ１，Ｌ２，Ｌ３，Ｌ４  外縁
α，β，γ，δ, ε, η  ベクトル
１Ａ〜１Ｄ  電子部品
１２  コア
１４  巻芯部
１６Ａ〜１６Ｄ，１８Ａ〜１８Ｄ  鍔部
２０  巻線
２２，２４  外部電極
【図１】
2014170783.tif 000003
【図２】
2014170783.tif 000004
【図３】
2014170783.tif 000005
【図４】
2014170783.tif 000006
【図５】
2014170783.tif 000007
【図６】
2014170783.tif 000008
【図７】
2014170783.tif 000009
【図８】
2014170783.tif 000010